(57)【要約】  壁付け食器棚（１１）の壁組立体（Ｐ）のための吊りブラケット（１０）であって、金属製の基部（２１）と、基部（２１）に関節連結状態で組み付けられると共に基部から突き出ているアーム（１３）であって、壁（Ｐ）に固定されたプレート（又は他の均等な要素（１５））に固着されるのに適したフック（１４）を備えるアーム（１３）と、アーム（１３）の位置を高さ及び深さについてそれぞれ調節する第１及び第２の調節機構体（１９，２０）と、基部（２１）と一体であり且つ壁付け食器棚（１１）への吊りブラケット（１０）の少なくとも１つの固定ユニット（Ｕ）を備えたフランジ（２２）と、を組み合わせて有する形式のものであり、固定ユニット（Ｕ）は、食器棚（１１）の肩部（１２）への吊りブラケット（１０）の固定ペグ（３２）と協働する耐剪断要素を含む、吊りブラケット（１０）。本発明によれば、ペグ（３２）は、フランジ（２２）から突き出たカラー（３１）に装着され、カラー（３１）とペグ（３２）との間に設けられていて、カラーとペグを互いに一体にする往復動固定手段が更に設けられている。
2015536711.tif 000002
【特許請求の範囲】
【請求項１】
壁付け食器棚（１１）の壁組立体（Ｐ）のための吊りブラケット（１０）であって、
前記吊りブラケットは、
金属製の基部（２１）と、
前記基部（２１）に関節連結状態で組み付けられると共に前記基部から突き出ているアーム（１３）であって、前記壁（Ｐ）に固定されたプレート（又は他の均等な要素（１５））に固着されるのに適したフック（１４）を備えるアーム（１３）と、
前記アーム（１３）の位置を高さ及び深さについてそれぞれ調節する第１及び第２の調節機構体（１９，２０）と、
前記基部（２１）と一体であり且つ前記壁付け食器棚（１１）への前記吊りブラケット（１０）の少なくとも１つの固定ユニット（Ｕ）を備えたフランジ（２２）と、を組み合わせて有する形式のものであり、
前記固定ユニット（Ｕ）は、前記食器棚（１１）の肩部（１２）への前記吊りブラケット（１０）の固定ペグ（３２）と協働する耐切断性要素を含む、吊りブラケット（１０）において、前記ペグ（３２）は、前記フランジ（２２）から突き出たカラー（３１）に装着され、前記カラー（３１）と前記ペグ（３２）との間に設けられていて、前記カラーと前記ペグを互いに一体にする往復動固定手段が更に設けられていることを特徴とする吊りブラケット（１０）。
【請求項２】
前記ペグ（３２）は、前記壁付け食器棚（１１）の前記肩部（１２）に設けられた穴（１８）内に対応関係をなして圧力嵌めされるのに適したピンである請求項１記載の吊りブラケット（１０）。
【請求項３】
前記カラー（３１）は、前記フランジ（２２）から単一品の状態で作られている請求項１記載の吊りブラケット（１０）。
【請求項４】
前記ピンは、のこ歯の輪郭形状を有する可撓性プラスチックピンである請求項２記載の吊りブラケット（１０）。
【請求項５】
前記ペグ（３２）は、のこ歯部分（３３）（又はその均等物）及び滑らかな部分（３３Ａ）を備えた円筒形外面を有し、前記のこ歯部分（３３）及び前記滑らかな部分（３３Ａ）は、前記穴（１８）との結合に適している請求項２記載の吊りブラケット（１０）。
【請求項６】
前記フランジ（２２）は、前記基部（２１）から単一品の状態で作られている請求項１記載の吊りブラケット（１０）。
【請求項７】
前記カラー（３１）と前記ペグ（３２）との間の前記往復動固定手段は、前記カラーの穴（Ｆ１）を通って前記ペグ（３２）の対応の軸方向穴（Ｆ）にねじ込まれるねじ（３５）からなる請求項１記載の吊りブラケット（１０）。
【請求項８】
前記ペグ（３２）は、前記カラー（３１）に装着される内端部受座（３４）を有する請求項１記載の吊りブラケット（１０）。
【請求項９】
第１の調節手段（１９）は、前記基部（２１）に係止されたナット（２６）にねじ込まれている操作ヘッドを備えたねじ（２４）を含み、前記ヘッド（２５）と反対側の前記ねじ（２４）の端部は、弓形カーソル（Ｃ）を介して前記アーム（１３）に作動的に連結されており、その結果、前記ねじ（２４）を回すことにより、前記アーム（１３）の勾配による前記吊りブラケット（１０）の位置が高さについて変化するようになっており、前記アーム（１３）は、前記フック（１４）に対して反対側端部のところが関節連結されている請求項１記載の吊りブラケット（１０）。
【請求項１０】
第２の調節手段（２０）は、操作ヘッド（２９）を備えたねじ（２８）を含み、前記ねじ（２８）は、前記アーム（１３）に係止されたナット（３０）にねじ込まれ、前記アーム（１３）は、アーム（２７）によって前記ナット（３０）に対して関節連結方式をなして弛みのある状態で拘束され、その結果、前記ねじ（２８）を回すことにより、前記アーム（１３）及びその結果として前記吊りブラケット（１０）の深さについての位置の軸方向運動が生じるようになっている請求項１記載の吊りブラケット（１０）。
【発明の詳細な説明】
【技術分野】
【０００１】
本発明は、壁付け食器棚（ウォール・カップボード）の壁組立体のための目に見える吊りブラケットであって、この食器棚の肩部への万全の固定手段を備えた吊りブラケットに関する。
【背景技術】
【０００２】
プラスチック材料で作られた箱形本体から外側に延びるアームの自由端部のところにフックが配置されている吊りブラケットが当業者には周知である。
【０００３】
この箱形本体は、壁支持体に引っ掛けられるようになったフックの位置を高さ及び深さについてそれぞれ調節する２つの機構体を収容しており、壁支持体は、プレート、異形金属製区分、ペグ又は他の均等手段からなる場合がある。
【０００４】
このように構成された吊りブラケットは、セルフタッピンねじ又はプラスチック材料で作られていて、のこ歯輪郭形状を有する圧力により撓みやすいピンによって、肩部、場合によっては内張り及びキャップによって構成された食器棚の上側コーナ部と一致して食器棚の肩部に固定される。
【０００５】
ねじは、貫通式であり、即ち、ねじは、箱形本体を通って食器棚の肩部に直接ねじ込まれ、これに対し、ピンは、プラスチック材料で作られた箱形本体から側方に一体に延びて肩部それ自体の対応の受座内に圧力嵌めされる。
【０００６】
上記において概要説明した形式の吊りブラケットは、例えば、欧州特許第００３３１７９（Ｂ１）号明細書及び欧州特許出願公開第０６３２９７９（Ａ１）号明細書の開示目的である。
【０００７】
また、他形式の吊りブラケットが存在し、これら吊りブラケットは、吊りブラケットを食器棚に固定する手段としての支持体（基部）及び更に固着フックの位置を高さ及び深さ（勾配）について調節することができる手段に関して互いに実質的に異なっている。
【０００８】
これら吊りブラケットは、例えば欧州特許第１２２８７２０（Ｂ１）号明細書に示されているように、一般に、側フランジを備えた金属製の基部から成り、側フランジは、組み立て段階の際、食器棚の肩部に設けられた穴の内側にねじ又は拡張ペグによって固定される。
【０００９】
上述したように、上記の公知の吊りブラケットは、可動引っ掛け要素（アーム）を有し、この引っ掛け要素は、この吊りブラケットを壁に固着するためのフックを備え、このフックは、欧州特許第１２２８７２０（Ｂ１）号明細書に記載されているように、フックの位置の調節を可能にすることができる、場合によってはアンギュラー形伝動装置を備えたねじ／ナット‐ねじ機構体によって作動される。（これについては、欧州特許第００３３１７９（Ｂ１）号明細書及び欧州特許出願公開第０６３２９７９（Ａ１）号明細書についても参照されたい）。
【００１０】
壁付け食器棚及び過度の荷重を受ける場合の多いずっと広く普及し続けているこの種の家具を形成するパネルの厚さを減少させる現在における技術的動向に考慮して、これら公知の吊りブラケットがたとえ機能的であり且つ壁付け食器棚の安全性に関する既存の規則に応じている場合であっても、この壁付け食器棚／吊りブラケットの結合部が常に効果的であり、耐久性があり、しかもとりわけ安全であるとは限らないということが起こっていると言える。
【００１１】
壁付け食器棚の安定性そのものは、この拘束を利用しているので、吊りブラケットの危険性のある落下及び／又は破損は、壁付け食器棚／吊りブラケット結合部に作用し、食器棚に荷重を加えたときに生じる剪断力に起因して、起こる場合がある。
【００１２】
上述の欠点は、主として、欧州特許第００３３１７９（Ｂ１）号明細書及び欧州特許出願公開第０６３２９７９（Ａ１）号明細書の開示目的であるプラスチック材料で作られた箱形本体を有する吊りブラケットにおいて生じる。
【００１３】
公知技術の上述の欠点を解決するため、欧州特許出願公開第２３０３０６９（Ａ１）号明細書は、これ又金属製のプラスチックを備えた金属製器具を有する吊りブラケットを提案しており、これらピンは、食器棚の肩部の対応の穴に差し込まれる。
【００１４】
肩部の穴の表面と直接的な接触状態にあるこれらピンは、最適な耐剪断応力性を保証する。
【００１５】
プラスチック材料で作られていて、のこ歯輪郭形状を備えた撓みやすいペグがこれら金属製のピンを食器棚の肩部に固定するためにこれら金属ピンと協調することができる。
【００１６】
吊りブラケットは又、明らかなこととして、伝統的なセルフタッピンねじによって食器棚の肩部に固定される。
【先行技術文献】
【特許文献】
【００１７】
【特許文献１】欧州特許第００３３１７９号明細書
【特許文献２】欧州特許出願公開第０６３２９７９号明細書
【特許文献３】欧州特許第１２２８７２０号明細書
【発明の概要】
【発明が解決しようとする課題】
【００１８】
本発明の一般的な目的は、壁付け食器棚を壁に固着するための吊りブラケットであって、食器棚にいったん荷重を加えると、食器棚／吊りブラケット結合部に生じる場合のある大きな剪断応力に耐えることができる吊りブラケットを提供することによって、欧州特許出願公開第２３０３０６９（Ａ１）号明細書で提案されたやり方と比較してより簡単且つより経済的なやり方で上述の公知技術の欠点を解決することにある。
【００１９】
もう１つの目的は、任意形式の壁付け食器棚に関して容易且つ堅固な組み立てを保証する吊りブラケットを提供することにある。
【課題を解決するための手段】
【００２０】
上述の目的を考慮して、本発明によれば、壁付け食器棚の壁組立体のための目に見える吊りブラケットであって、独立形式の請求項及びその従属形式の請求項で特定された特徴を有する吊りブラケットが提供される。
【００２１】
本発明の構造的及び機能的特徴並びに公知の技術に対するその利点は、添付の図面を参照して行われる以下の説明からより一層明らかになり、図面は、本発明の革新的な原理に従って作られた吊りブラケットの一例を示している。
【図面の簡単な説明】
【００２２】
【図１】本発明の吊りブラケットを２つの反対側の側部から示した一方の分解組み立て斜視図である。
【図２】本発明の吊りブラケットを２つの反対側の側部から示した他方の分解組み立て斜視図である。
【図３】図１と同一の側から見た組み立て状態の吊りブラケットの斜視図である。
【図４】図２と同一の側から見ているが、部分的に上から見た組み立て状態の吊りブラケットの斜視図である。
【図５】食器棚に固定されると共に壁に固定されている支持区分に固着される図１〜図４の吊りブラケットを示す立面図である。
【図６】図５のＶＩ‐ＶＩ線に沿って取った部分断面図である。
【図７】吊りブラケットを食器棚の肩部に固定するための本発明の固定ユニットを示す拡大断面詳細図である。
【図８】壁付け食器棚への吊りブラケットの固定段階を示す部分斜視図である。
【図９】壁付け食器棚への吊りブラケットの固定段階を示す別の部分斜視図である。
【発明を実施するための形態】
【００２３】
図面を参照すると、食器棚を壁に固着するための目に見える吊りブラケットが全体を参照符号１０で示されている。
【００２４】
図１〜図４において斜視図の状態で見えるかかる吊りブラケット１０は、壁Ｐへの食器棚１１の固着を可能にするのに適しており、使用のため、この吊りブラケットは、一方の側が上述の食器棚１１の内側の側壁（肩部）１２に固定される。
【００２５】
参照すべきであると共に本発明の良好な理解のために必要な場合に本発明の一体部分とみなされるべき欧州特許出願公開第２３０３０６９（Ａ１）号明細書に明示されているように、吊りブラケット１０は、壁Ｐ（図５）に固定された区分１５（又はその均等支持体）に固着可能な端フック１４を備えたアーム１３を有している。この目的のため、フック１４は、食器棚１１の用いられる場合のある内張り１７（図８及び図９）を貫通して設けられた穴１６を通って突き出る。
【００２６】
吊りブラケット１０を肩部１２に固定するため、肩部１２は、本発明の固定手段を受け入れるのに適した穴１８を備え、かかる固定手段は、以下に詳細に説明するように固定ユニットＵの形態をしている。
【００２７】
欧州特許出願公開第２３０３０６９（Ａ１）号明細書に明確に記載されると共に図示されているように、吊りブラケットの位置を高さ及び深さについてそれぞれ調節するための第１の機構体１９及び第２の機構体２０がアーム１３と協働する。
【００２８】
具体的に説明すると、アーム１３及び調節機構体１９，２０は、フランジ２２を有する金属製の基部２１に組み付けられ、フランジ２２は、吊りブラケット１０を壁付け食器棚１１の肩部１２に固定するのに役立つ。好ましくは、このフランジ２２は、アーム１３及び関連の調節機構体１９，２０を肩部１２から離隔させるための段部２３を形成するよう基部２１から一体に作られているが、必ずしもそうである必要はない。
【００２９】
好ましくは、フランジ２２は、アーム１３の下の位置に配置されているが、必ずしもそうである必要はない。
【００３０】
簡単に言えば、吊りブラケットは、当業者に周知の形式のものなので、吊りブラケットのこの実施例では、第１の高さ調節機構体１９は、操作ヘッド２５を備えたねじ２４を含み、ねじ２４は、基部２１に係止されたナット２６にねじ込まれるのが良い。図面から理解できるように、ヘッド２５と反対側のねじ２４の端部は、弓形カーソルＣを介してアーム１３に作動的に連結されている。このように、ねじ２４を回すことにより、アーム１３の勾配が変化し、その結果として吊りブラケット１０の位置についても、高さについて変化する。この目的のため、アーム１３は、フック１４に対して反対側の端部がナット３０に対して関節連結状態で（ルーズに）拘束されており、ナット３０が異形の互いに向かい合った付属物（アーム）２７によって包み込まれている。
【００３１】
深さを調整するための第２の機構体２０は、これとは対照的に、操作ヘッド２９を備えたねじ２８を含み、このねじ２８は、関節連結アーム１３に係止されたナット３０にねじ込まれるのが良い。
【００３２】
このように、ねじ２８を回すことにより、アーム１３の軸方向運動が生じ、従って、吊りブラケット１０の深さについての位置の軸方向運動が生じる。
【００３３】
本発明によれば、フランジ２２は、代表的には、１つ又は２つ以上の固定ユニットＵ（少なくとも１つ）を有する。各ユニットＵは、プラスチック材料で作られた撓みやすいピンの形態をしたペグ３２が（外側から）取り付けられる金属製のカラー３１を含む。
【００３４】
ペグ３２の円筒形外面（ケーシング）は、特徴的なこととして、のこ歯部分３３（又はその均等物）及び滑らかな部分３３Ａを有している。
【００３５】
具体的に言えば、ペグ３２は、参照符号Ｆで示されているように軸方向に穴あけされており、このペグは、カラー３１が嵌められる端部受座３４を有している。
【００３６】
ペグ３２は、フランジ２２の対応の穴Ｆ１及びこの同じペグ３２（図７）の軸方向穴Ｆを介して貫通ねじ３５によってカラー３１に固定される。
【００３７】
図８及び図９で明確に理解できるように、本発明に従って作られた吊りブラケット１０は、ペグ３２（ユニットＵ）を肩部１２それ自体に設けられた穴１８内に圧力嵌めすることによって食器棚の肩部１２に固定される。
【００３８】
注目されるべきこととして、のこ歯輪郭形状部３３（又は均等物）により、ペグ３２は、食器棚の肩部１２への吊りブラケット１０の安定した固定を保証すると共に穴１８の表面に正確に合致する滑らかな表面３３Ａにより、高い耐剪断性を保証する。
【００３９】
フランジ２２の穴Ｆ２を通って吊りブラケットを肩部１２に固定するセルフタッピンねじ（図示せず）についても想定できる。
【００４０】
トップ又は蓋３６についても設けられるのが良い（図９）。
【００４１】
図を参照して上述した内容から、本発明に従って壁付け食器棚を壁に固着するための目に見える吊りブラケットを製作するのが特に安価であることは、明らかである。したがって、本明細書の導入部に記載された目的が達成されている。
【００４２】
本発明の吊りブラケット１０は又、任意形式の食器棚に関する容易且つ堅固な組み立てを保証し、食器棚に荷重を加えたときにも関連の食器棚に対する吊りブラケット１０それ自体の考えられる位置合わせ不良を阻止する。
【００４３】
この確かな位置決めは、フランジ２２から壁付け食器棚１１の肩部１２に向かって突き出た耐剪断性の固定ユニットＵの存在によって達成され、この耐剪断性固定ユニットＵは、壁付け食器棚１１の肩部１２に対する吊りブラケット１０の安定した位置決めを保証するよう一般に掴み歯を備えた伝統的な固定手段（図示せず）、例えばねじ又は拡張ペグと協働する。
【００４４】
本発明に従って壁付け食器棚を壁に固定するための目に見える吊りブラケットの形態は、材質についても、図面に純粋に例示的に且つ非限定的な目的のために示された形態及び材質とは異なっていても良いことは明らかである。
【００４５】
したがって、本発明の保護範囲は、添付の特許請求の範囲の記載によって定められる。
【図１】
2015536711.tif 000003
【図２】
2015536711.tif 000004
【図３】
2015536711.tif 000005
【図４】
2015536711.tif 000006
【図５】
2015536711.tif 000007
【図６】
2015536711.tif 000008
【図７】
2015536711.tif 000009
【図８】
2015536711.tif 000010
【図９】
2015536711.tif 000011
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
壁付け食器棚（１１）の壁組立体（Ｐ）のための吊りブラケット（１０）であって、
前記吊りブラケットは、
金属製の基部（２１）と、
前記基部（２１）に関節連結状態で組み付けられると共に前記基部から突き出ているアーム（１３）であって、前記壁（Ｐ）に固定されたプレート（又は他の均等な要素（１５））に固着されるのに適したフック（１４）を備えるアーム（１３）と、
前記アーム（１３）の位置を高さ及び深さについてそれぞれ調節する第１及び第２の調節機構体（１９，２０）と、
前記基部（２１）と一体であり且つ前記壁付け食器棚（１１）への前記吊りブラケット（１０）の少なくとも１つの固定ユニット（Ｕ）を備えたフランジ（２２）と、を組み合わせて有する形式のものであり、
前記固定ユニット（Ｕ）は、前記食器棚（１１）の肩部（１２）への前記吊りブラケット（１０）の固定ペグ（３２）と協働する耐切断性要素を含み、前記ペグ（３２）は、前記フランジ（２２）から突き出たカラー（３１）に装着され、前記カラー（３１）と前記ペグ（３２）との間に設けられていて、前記カラーと前記ペグを互いに一体にする往復動固定手段が更に設けられ、前記ペグ（３２）は、前記壁付け食器棚（１１）の前記肩部（１２）に設けられた穴（１８）内に対応関係をなして圧力嵌めされるのに適したピンであり、前記カラー（３１）は、前記フランジ（２２）から単一品の状態で作られ、前記ピンは、のこ歯の輪郭形状を有する可撓性プラスチックピンである、吊りブラケット（１０）において、前記ペグ（３２）は、前記カラー（３１）の外側に装着される内端部受座（３４）を有することを特徴とする吊りブラケット（１０）。
【請求項２】
前記ペグ（３２）は、のこ歯部分（３３）（又はその均等物）及び滑らかな部分（３３Ａ）を備えた円筒形外面を有し、前記のこ歯部分（３３）及び前記滑らかな部分（３３Ａ）は、前記穴（１８）との結合に適している請求項１記載の吊りブラケット（１０）。
【請求項３】
前記フランジ（２２）は、前記基部（２１）から単一品の状態で作られている請求項１記載の吊りブラケット（１０）。
【請求項４】
前記カラー（３１）と前記ペグ（３２）との間の前記往復動固定手段は、前記カラーの穴（Ｆ１）を通って前記ペグ（３２）の対応の軸方向穴（Ｆ）にねじ込まれるねじ（３５）からなる請求項１記載の吊りブラケット（１０）。
【請求項５】
第１の調節手段（１９）は、前記基部（２１）に係止されたナット（２６）にねじ込まれている操作ヘッドを備えたねじ（２４）を含み、前記ヘッド（２５）と反対側の前記ねじ（２４）の端部は、弓形カーソル（Ｃ）を介して前記アーム（１３）に作動的に連結されており、その結果、前記ねじ（２４）を回すことにより、前記アーム（１３）の勾配による前記吊りブラケット（１０）の位置が高さについて変化するようになっており、前記アーム（１３）は、前記フック（１４）に対して反対側端部のところが関節連結されている請求項１記載の吊りブラケット（１０）。
【請求項６】
第２の調節手段（２０）は、操作ヘッド（２９）を備えたねじ（２８）を含み、前記ねじ（２８）は、前記アーム（１３）に係止されたナット（３０）にねじ込まれ、前記アーム（１３）は、アーム（２７）によって前記ナット（３０）に対して関節連結方式をなして弛みのある状態で拘束され、その結果、前記ねじ（２８）を回すことにより、前記アーム（１３）及びその結果として前記吊りブラケット（１０）の深さについての位置の軸方向運動が生じるようになっている請求項１記載の吊りブラケット（１０）。
【国際調査報告】
2015536711.tif 000012
2015536711.tif 000013